(57)【特許請求の範囲】
【請求項１】
複数のＬＥＤ素子を実装したＬＥＤ基板と、前記ＬＥＤ基板に重ね合わせ状態に配置され前記複数のＬＥＤ素子に対応する配光部を形成する配光ユニットを備えたＬＥＤ照明器具において、
前記配光ユニットは、板状部と、前記板状部に形成され、異なる配光特性を有するそれぞれ独立した第１配光特性を有する第１の配光特性部と、第２配光特性を有する第２の配光特性部とを有し、
前記配光ユニットは、前記ＬＥＤ基板と略並行に回動中心部で回動可能に支持され、前記ＬＥＤ素子に対して前記第１の配光特性部が対応する第１状態と、前記配光ユニットを前記第１状態から９０度回転させ、前記ＬＥＤ素子に対して前記第２の配光特性部が対応する第２状態とに変更可能であり、
２つの前記第１の配光特性部と２つの前記第２の配光特性部からなる配光特性部のセットの複数が、前記板状部の前後方向及び左右方向にそれぞれ配列され、前記第１状態において、前記２つの第１の配光特性部が前後方向に所定間隔を空けて並ぶと共に、前記２つの第１の配光特性部の間に、前記２つの第２の配光特性部が左右方向に所定間隔を空けて並ぶ
ことを特徴とするＬＥＤ照明器具。
【請求項２】
前記配光ユニットは、前記ＬＥＤ基板側に複数の突状ボスを有し、
前記ＬＥＤ基板は、前記突状ボスが挿入される複数の挿入部を有し、
前記突状ボスは、前記ＬＥＤ素子が前記ＬＥＤ基板から突出する高さよりも長い
ことを特徴とする請求項１に記載のＬＥＤ照明器具。
【発明の詳細な説明】
【技術分野】
【０００１】
本発明は、ＬＥＤ基板に取り付けたＬＥＤ（発光ダイオード）を覆う配光ユニットを設け、ＬＥＤの発光によって被照明部を照明するＬＥＤ照明器具に関し、特に被照明部を照明する配光状態を変更可能とするＬＥＤ照明器具に関する。
【背景技術】
【０００２】
ＬＥＤの発光によって道路面等を照明する照明器具の一つとして、前後方向に長い照明器具から後部を支柱に取付け、照明器具を構成する平板状のレンズアレイとＬＥＤを配置した平板状の基板をスライドさせ、ＬＥＤとレンズの位置を変えることによって照度分布を調整するものがある（特許文献１参照）。
【先行技術文献】
【特許文献】
【０００３】
【特許文献１】特開２０１２-１３８２０８号公報
【発明の概要】
【発明が解決しようとする課題】
【０００４】
歩行者が使用する住宅街の生活道路や、車道に沿ってその端に設けられた歩道や、その他の場所に設けられる歩道を含む道路照明を行うためのＬＥＤ照明器具として、その道路状況に応じた配光状態に変更する必要がある。
【０００５】
特許文献１のものは、平板状のレンズアレイとＬＥＤを配置した平板状の基板がスライドによって、レンズの一部とＬＥＤとの対応位置を変えるため、上記のような道路状況に合わせて、例えば、左右に長い配光状態とする場合と、照明器具の真下に円形状のスポット配光状態とする場合のように、明確にいずれに設定するかの位置合わせが困難である。正確な位置に調整するためには、緻密に位置調整するための位置調整装置が必要となり、照明器具ごとにその位置調整装置を取り付けると照明装置自体が更に高価となる。
また、特許文献１のものは、平板状のレンズアレイとＬＥＤを配置した平板状の基板が、スライドによってレンズの一部とＬＥＤとの対応位置を変えるため、レンズ形状に合わせて位置調整装置による調整幅を変える必要があり、レンズ形状に合わせた位置調整装置を作成しなければならない課題がある。
【０００６】
本発明は、この点に鑑み、左右に長い配光状態とする場合と、照明器具の真下に円形状のスポット配光状態とする場合のように、いずれに設定するかが、正確に且つ簡単に行えるＬＥＤ照明器具を提供する。
また、道路などの設置環境や風圧などによりＬＥＤ照明器具に加わる振動によって、ＬＥＤ素子とレンズ出射部の光軸がずれることなく安定した所定の配光を維持できるＬＥＤ照明器具を提供する。
更に、高価な位置調整装置を備えなくても、工場での製造時または照明器具の設置場所での配光変更が容易に行えるＬＥＤ照明器具を提供するものである。
また、照明器具を設置した付近の居住者などからまぶしさ低減の要望などが生じた場合でも、別途遮光板などの部品を追加購入することなく、照明器具の真下に円形状のスポット配光状態とすることで、容易にかつ経済的にまぶしさ対策ができるＬＥＤ照明器具を提供するものである。
【０００７】
このため、本発明のＬＥＤ照明器具は、複数のＬＥＤ素子（発光ダイオード）を実装したＬＥＤ基板と、前記ＬＥＤ素子に対して異なる配光特性を有するそれぞれ独立した複数の配光特性部を形成し前記ＬＥＤ基板に重ね合わせ状態に配置される配光ユニットを備え、前記ＬＥＤ基板と前記配光ユニットとの相対的配置変更によって、配光状態を変更可能とするＬＥＤ照明器具を提供する。
【課題を解決するための手段】
【０００８】
第１の本発明のＬＥＤ照明器具は、複数のＬＥＤ素子を実装したＬＥＤ基板と、前記ＬＥＤ基板に重ね合わせ状態に配置され前記複数のＬＥＤ素子に対応する配光部を形成する配光ユニットを備えたＬＥＤ照明器具において、
前記配光部は異なる配光特性を有するそれぞれ独立した複数の配光特性部で構成され、
前記ＬＥＤ素子と前記配光特性部の組み合わせが選択可能に前記ＬＥＤ基板と前記配光ユニットの相対位置が可変構成であることを特徴とする。
【０００９】
第２の本発明のＬＥＤ照明器具は、上記第１において、前記ＬＥＤ素子と前記配光特性部の組み合わせが選択可能に、前記配光ユニットは前記ＬＥＤ基板と略並行に回動中心部で回動可能であることを特徴とする。
【００１０】
第３の本発明のＬＥＤ照明器具は、複数のＬＥＤ素子を実装したＬＥＤ基板と、前記ＬＥＤ基板に重ね合わせ状態に配置され前記ＬＥＤ素子に対応する配光部を形成する配光ユニットを備えたＬＥＤ照明器具において、
前記配光部は第１配光特性を有する第１の配光特性部と第２配光特性を有する第２の配光特性部がそれぞれ独立して形成され、
前記ＬＥＤ基板と前記配光部の相対位置が、前記ＬＥＤ素子に対して前記第１の配光特性部が対応する状態と前記ＬＥＤ素子に対して前記第２の配光特性部が対応する状態とに変更可能であることを特徴とする。
【００１１】
第４の本発明のＬＥＤ照明器具は、上記第３において、
前記配光ユニットは、前記ＬＥＤ基板と略並行に回動中心部で回動可能に支持され、前記配光ユニットの回動によって前記ＬＥＤ素子に対して前記第１の配光特性部が対応する状態と前記ＬＥＤ素子に対して前記第２の配光特性部が対応する状態とに変更可能であることを特徴とする。
【００１２】
第５の本発明のＬＥＤ照明器具は、上記第３または第４のいずれかにおいて、
前記ＬＥＤ基板は、後部に取り付け部を備え下面に開口部を有する前後方向に長い本体の前記開口部から前記ＬＥＤ素子の発光が前記配光部を通して照射される状態に前記本体に取り付けられており、
前記配光ユニットは、左右方向の配光特性と前後方向の配光特性を有し、これら配光特性の一方が前記第１の配光特性部であり他方が前記第２の配光特性部であることを特徴とする。
【００１３】
第６の本発明のＬＥＤ照明器具は、上記第３または第４において、
前記配光ユニットは、左右方向の配光特性とスポット状配光特性を有し、これら配光特性の一方が前記第１の配光特性部であり他方が前記第２の配光特性部であることを特徴とする。
【００１４】
第７の本発明のＬＥＤ照明器具は、上記第３または第４のいずれかにおいて、
前記ＬＥＤ基板は、後部に取り付け部を備え下面に開口部を有する前後方向に長い本体の開口部から前記ＬＥＤ素子の発光が前記配光部を通して照射される状態に前記本体に取り付けられており、
前記ＬＥＤ素子は前記ＬＥＤ基板に前後方向に間隔を存して複数列状態に配置され、
前記配光ユニットは、前記ＬＥＤ基板に対して前後方向に複数の分離した分離配光ユニットで構成され、
前記分離配光ユニットは、それぞれ前記複数列状態の前記ＬＥＤ素子の所定のものに対応する前記第１の配光特性部と前記第２の配光特性部を備え、
前記分離配光ユニットは、それぞれ前記ＬＥＤ基板に対して回動可能に支持され、
前記分離配光ユニットのそれぞれの回動の組み合わせにて配光特性が変化することを特徴とする。
【００１５】
第８の本発明のＬＥＤ照明器具は、上記第３または第４のいずれかにおいて、
前記ＬＥＤ素子は前記ＬＥＤ基板に前後方向に間隔を存して２列状態に配置され、
前記配光ユニットは、前記ＬＥＤ基板に対して前後方向に間隔を存して前後方向に分離した分離配光ユニットで構成され、
前側の前記分離配光ユニットと後側の前記分離配光ユニットは、それぞれ前記２列状態の前記ＬＥＤ素子の所定のものに対応する前記第１の配光特性部と前記第２の配光特性部を備え、
前記２列状態の前記ＬＥＤ素子のうち、前側のＬＥＤ素子が前記前側の分離配光ユニットと対応配置され、後側のＬＥＤ素子が前記後側の分離配光ユニットと対応配置され、
前記前側の分離配光ユニットと前記後側の分離配光ユニットが前記ＬＥＤ基板に対して回動可能に支持され、
前記前側の分離配光ユニットと前記後側の分離配光ユニットの回動の組み合わせにて配光特性が変化することを特徴とする。
【００１６】
第９の本発明のＬＥＤ照明器具は、上記第７または第８において、
前記分離配光ユニットは、それぞれ前記ＬＥＤ基板に対して略９０度の回動にて、前記第１の配光特性部による配光状態と、前記第２の配光特性部による配光状態とに切り替え可能であることを特徴とする。
【００１７】
第１０の本発明のＬＥＤ照明器具は、上記第１乃至第９のいずれかにおいて、
前記配光ユニットは前記ＬＥＤ基板に対して回動可能であり、前記配光ユニットはＬＥＤ基板側に複数の突状ボスを有し、前記ボスの高さは前記ＬＥＤ素子が前記ＬＥＤ基板から突出する高さよりも長く、前記ＬＥＤ基板に対し前記ボスの高さにて前記配光ユニットの回動が許容されることを特徴とする。
【００１８】
第１１の本発明のＬＥＤ照明器具は、上記第１０において、
前記ＬＥＤ基板は、前記ＬＥＤ素子と前記配光特性部の組み合わせ状態が第１の状態と第２の状態に維持される位置に前記ボスが挿入される挿入部を有し、配光特性が第１の配光となる組み合わせが前記第１の状態であり、配光特性が第２の配光となる組み合わせが前記第２の状態であることを特徴とする。
【００１９】
第１２の本発明のＬＥＤ照明器具は、上記第７乃至第１１のいずれかにおいて、
それぞれの前記分離配光ユニットは、略四辺形状をなし、回動時に相互接触しない程度に、前記配光特性部が存在しない四隅部が切除された形状をなすことを特徴とする。
【００２０】
第１３の本発明のＬＥＤ照明器具は、上記第１乃至第６のいずれかにおいて、
前記ＬＥＤ素子は前記ＬＥＤ基板に所定半径の円形状に配置され、
前記配光ユニットは、円形状をなし前記所定半径と同等半径に前記配光特性部が配置され、
前記ＬＥＤ基板に対して回動中心部において前記配光ユニットが回動可能に支持され、
前記ＬＥＤ素子と前記配光特性部の組み合わせが選択可能に前記ＬＥＤ基板と前記配光ユニットの相対位置が可変構成であることを特徴とする。
【００２１】
第１４の本発明のＬＥＤ照明器具は、上記第２、第４乃至第１３のいずれかにおいて、前記回動中心部において、前記配光ユニットは、前記ＬＥＤ基板に対して所定の離間まで許容され且つ回動可能に軸支持されることを特徴とする。
【発明の効果】
【００２２】
第１の本発明のＬＥＤ照明器具は、複数のＬＥＤ素子を実装したＬＥＤ基板に重ね合わせ状態に配置され、複数のＬＥＤ素子に対応する配光部を形成する配光ユニットを備え、配光部は異なる配光特性を有する複数の配光特性部で構成され、ＬＥＤ素子と配光特性部の組み合わせが選択可能にＬＥＤ基板と配光ユニットの相対位置が可変構成である。
このため、ＬＥＤ照明器具の取り付け場所に応じて、いずれの配光状態とするかの選択が可能となり、一つの機種のＬＥＤ照明器具で以ってそれぞれの取り付け場所への適用範囲が広がり、取り付け場所ごとに異なる機種を製造する必要が少なくなる効果がある。
【００２３】
第２の本発明のＬＥＤ照明器具は、上記第１において、ＬＥＤ素子と配光特性部の組み合わせの選択構成として、配光ユニットがＬＥＤ基板と略並行に回動中心部で回動可能であることにより、ＬＥＤ基板に対する配光ユニットの回動によって、いずれの配光状態とするかの選択ができるため、配光状態の切り替え操作をし易くなる。
【００２４】
第３の本発明のＬＥＤ照明器具は、配光部が第１配光特性を有する第１の配光特性部と第２配光特性を有する第２の配光特性部を備えることにより、ＬＥＤ照明器具の取り付け場所に応じて、ＬＥＤ素子に対して第１の配光特性部が対応する状態と、ＬＥＤ素子に対して第２の配光特性部が対応する状態とを選択すればよい。
例えば、第１の配光特性部が主としてＬＥＤ照明器具の下方を照明する下方向の配光特性を有し、第２の配光特性部が主としてＬＥＤ照明器具の左右方向の配光特性を有する構成とすれば、ＬＥＤ照明器具の取り付け場所に応じて、第１の配光特性部から照明するようにするか、第２の配光特性部から照明するようにするかの選択が容易となる。
【００２５】
第４の本発明のＬＥＤ照明器具は、上記第３において、
配光ユニットは、ＬＥＤ基板と略並行に回動中心部で回動可能に支持され、配光ユニットの回動によってＬＥＤ素子に対して第１の配光特性部が対応する状態とＬＥＤ素子に対して第２の配光特性部が対応する状態とに変更可能である。
このため、ＬＥＤ基板に対する配光ユニットの回動によって、いずれの配光状態とするかの選択ができるため、配光状態の切り替え操作をし易くなる。
【００２６】
第５の本発明のＬＥＤ照明器具は、上記第３または第４において、
ＬＥＤ基板は、後部に取り付け部を備え下面に開口部を有する前後方向に長い本体の開口部からＬＥＤ素子の発光が配光特性部を通して照射される状態に取り付けられており、
配光ユニットは、左右方向の配光特性と前後方向の配光特性を有し、これら配光特性の一方が第１配光特性であり他方が第２配光特性である。
このため、ＬＥＤ照明器具の取り付け場所に応じて、第１配光特性が適するか、第２配光特性が適するかの選択をすればよく、取り付け場所に応じた照明ができることとなる。
【００２７】
第６の本発明のＬＥＤ照明器具は、上記第３または第４において、
配光ユニットは、左右方向の配光特性とスポット状の配光特性を有し、これら配光特性の一方が第１配光特性であり他方が第２配光特性である。
このため、ＬＥＤ照明器具の取り付け場所に応じて、第１配光特性が適するか、第２配光特性が適するかの選択をすればよく、取り付け場所に応じた照明ができることとなる。
【００２８】
第７の本発明のＬＥＤ照明器具は、上記第３または第４のいずれかにおいて、
ＬＥＤ基板は、後部に取り付け部を備え下面に開口部を有する前後方向に長い本体の開口部からＬＥＤ素子の発光が配光部を通して照射される状態に取り付けられており、
ＬＥＤ素子はＬＥＤ基板に前後方向に間隔を存して複数列状態に配置され、
配光ユニットは、ＬＥＤ基板に対して前後方向に複数の分離した分離配光ユニットで構成され、
分離配光ユニットは、それぞれ複数列状態のＬＥＤ素子の所定のものに対応する第１の配光特性部と第２の配光特性部を備え、
分離配光ユニットは、それぞれＬＥＤ基板に対して回動可能に支持され、
分離配光ユニットのそれぞれの回動の組み合わせにて配光特性が変化する。
このため、ＬＥＤ素子の配置と配光特性部の配置がし易くなり、ＬＥＤ素子と配光特性部の組み合わせの変更は、ＬＥＤ基板に対して分離配光ユニットを回動することによって達成できるため、ＬＥＤ照明器具の取り付け場所に応じて、第１配光特性が適するか、第２配光特性が適するかの選択操作がし易くなる。
【００２９】
第８の本発明のＬＥＤ照明器具は、上記第３または第４のいずれかにおいて、
ＬＥＤ素子はＬＥＤ基板に前後方向に間隔を存して２列状態に配置され、
配光ユニットは、ＬＥＤ基板に対して前後方向に間隔を存して前後方向に分離した分離配光ユニットで構成され、
前側の分離配光ユニットと後側の分離配光ユニットは、それぞれ２列状態のＬＥＤ素子の所定のものに対応する第１の配光特性部と第２の配光特性部を備え、
２列状態のＬＥＤ素子のうち、前側のＬＥＤ素子が前側の分離配光ユニットと対応配置され、後側のＬＥＤ素子が後側の分離配光ユニットと対応配置され、
前側の分離配光ユニットと後側の分離配光ユニットがＬＥＤ基板に対して回動可能に支持され、
前側の分離配光ユニットと後側の分離配光ユニットの回動の組み合わせにて配光特性が変化する。
このため、ＬＥＤ基板と配光ユニットの構成が簡素化され、ＬＥＤ素子の配置と配光特性部の配置がし易くなり、ＬＥＤ素子と配光特性部の組み合わせの変更は、ＬＥＤ基板に対して分離配光ユニットを回動することによって達成できるため、ＬＥＤ照明器具の取り付け場所に応じて、第１配光特性が適するか、第２配光特性が適するかの選択操作がし易くなる。
【００３０】
第９の本発明のＬＥＤ照明器具は、上記第７または第８において、
分離配光ユニットは、それぞれＬＥＤ基板に対して略９０度の回動にて、第１の配光特性部による配光状態と、第２の配光特性部による配光状態とに切り替え可能である。  
このため、ＬＥＤ基板と配光ユニットの構成が簡素化され、ＬＥＤ素子の配置と配光特性部の配置がし易くなり、ＬＥＤ素子と配光特性部の組み合わせの変更は、ＬＥＤ基板に対して分離配光ユニットを略９０度回動することによって達成できるため、ＬＥＤ照明器具の取り付け場所に応じて、第１配光特性が適するか、第２配光特性が適するかの選択操作がし易くなる。
【００３１】
第１０の本発明のＬＥＤ照明器具は、上記第１乃至第９のいずれかにおいて、
配光ユニットはＬＥＤ基板に対して回動可能であり、配光ユニットはＬＥＤ基板側に複数の突状ボスを有し、ボスの高さはＬＥＤ素子がＬＥＤ基板から突出する高さよりも長く、ＬＥＤ基板に対しボスの高さにて配光ユニットの回動が許容される。
このため、配光特性を選択するために、ボスがＬＥＤ基板面に沿うようにして配光ユニットを回動させた場合、配光特性部がＬＥＤ素子に衝突することがなく、円滑に配光ユニットを回動できる。
【００３２】
第１１の本発明のＬＥＤ照明器具は、上記第１０において、
ＬＥＤ基板は、ＬＥＤ素子と配光特性部の組み合わせ状態が第１の状態と第２の状態に維持される位置にボスが挿入される挿入部を有し、配光特性が第１の配光となる組み合わせが前記第１の状態であり、配光特性が第２の配光となる組み合わせが前記第２の状態である。
このため、ボスが挿入部に挿入される状態でＬＥＤ素子と配光特性部の組み合わせが決まるため、いずれの配光状態とするかの選択操作がし易くなり、ＬＥＤ素子と配光特性部の組み合わせを所定の組み合わせ状態にすることができることとなり、道路などの設置環境や風圧などによりＬＥＤ照明器具に加わる振動によって、ＬＥＤ素子とレンズ出射部の光軸がずれることなく安定した所定の配光を維持できるＬＥＤ照明器具となる。
【００３３】
第１２の本発明のＬＥＤ照明器具は、上記第７乃至第１０のいずれかにおいて、
それぞれの分離配光ユニットは、略四辺形状をなし、回動時に相互接触しない程度に、配光特性部が存在しない四隅部が切除された形状をなす。
これによって、配光状態を変更する際に、分離配光ユニットをＬＥＤ基板から取り外して配置を変更する必要がなく、分離配光ユニットをＬＥＤ基板に対して回動中心部を軸として回動させる構成とすることができ、配光状態の変更が容易となる。
【００３４】
第１３の本発明のＬＥＤ照明器具は、上記第１乃至第６のいずれかにおいて、
ＬＥＤ素子はＬＥＤ基板に所定半径の円形状に配置され、
配光ユニットは、円形状をなし前記所定半径と同等半径に配光特性部が配置され、
ＬＥＤ基板に対して回動中心部において配光ユニットが回動可能に支持され、
ＬＥＤ素子と配光特性部の組み合わせが選択可能にＬＥＤ基板と配光ユニットの相対位置が可変構成である。
このため、円形状の配光ユニットによって、配光ユニットの回動時に周辺のコネクタ等との接触がなく、安定した回動を達成できる。
【００３５】
第１４の本発明のＬＥＤ照明器具は、上記第２、第４乃至第１３のいずれかにおいて、回動中心部において、配光ユニットは、ＬＥＤ基板に対して所定の離間まで許容され且つ回動可能に軸支持される。
このため、ＬＥＤ基板に対する配光ユニットの組み合わせ維持ができ、更に、配光ユニットをＬＥＤ基板から離れる状態で回動させることにより配光状態の変更を行うことができ、配光状態の変更が容易となる。
【図面の簡単な説明】
【００３６】
【図１】本発明に係るＬＥＤ照明器具の分解斜視図である。
【図２】本発明に係るＬＥＤ照明器具の縦断側面図である。
【図３】本発明に係る照明器具の本体と透光性カバーを組み合わせた状態の横断面による説明図である。
【図４】本発明に係るＬＥＤ照明器具の本体の下面から視た図である。
【図５】本発明に係るＬＥＤ照明器具の本体にＬＥＤ基板と制御基板を取り付けた状態を下面から視た図である。
【図６】本発明に係るＬＥＤ基板におけるＬＥＤ、挿入部、回転中心部等の孔の配置図である。
【図７】本発明に係る配光ユニットであり、（イ）は表面図、（ロ）は右方側面図、（ハ）は下方側面図、（ニ）は裏面図である。
【図８】本発明に係るＬＥＤ基板に前後二つの配光ユニットを取り付けた状態の配置図である。
【図９】本発明に係る配光ユニットを第１の配光特性部８３Ａによる配光状態とした本体の下方から見た斜視図である。
【図１０】図８のＡ−Ａ断面図である。
【図１１】図８のＢ−Ｂ断面図である。
【図１２】図８においてＬＥＤ基板に対して前後二つの配光ユニットのうち前部の配光ユニットを９０度回動させた状態図である。
【図１３】図８においてＬＥＤ基板に対して前後二つの配光ユニットを９０度回動させた状態図である。
【図１４】本発明に係る配光ユニットを第２の配光特性部８３Ｂによる配光状態とした本体の下方から見た斜視図である。
【図１５】図１３のＣ−Ｃ断面図である。
【図１６】図１３のＤ−Ｄ断面図である。
【図１７】本発明に係るＬＥＤ基板の中央部に一つの配光ユニットを取り付け、第１の配光特性部８３Ａによる配光状態とした第１の状態図である。
【図１８】本発明に係るＬＥＤ基板の中央部に一つの配光ユニットを取り付け、第２の配光特性部８３Ｂによる配光状態とした第２の状態図である。
【図１９】実施例２に係るＬＥＤ基板におけるＬＥＤ、挿入部、回転中心部の孔の配置図である。
【図２０】実施例２に係るＬＥＤ基板に配光ユニットを取り付けた状態の配置図である。
【図２１】図２０においてＬＥＤ基板に対して配光ユニットを４５度回動させた状態図である。
【図２２】本発明に係るＬＥＤ照明器具を支柱に取り付けた状態の側面図である。
【図２３】本発明に係るＬＥＤ照明器具を規定間隔で道路に沿って取り付けた状態の配光状態を平面で示す配光図である。
【図２４】本発明に係るＬＥＤ照明器具を略直角に曲がる道路のコーナー部に取り付けた状態の配光状態を平面で示す配光図である。
【図２５】本発明に係る第１の配光特性部８３Ａに関して突状ボスの長さＬ１とＬＥＤの高さＬ２の関係を示す説明図である。
【図２６】本発明に係る第２の配光特性部８３Ｂに関して突状ボスの長さＬ１とＬＥＤの高さＬ２の関係を示す説明図である。
【図２７】本発明に係る配光ユニットをＬＥＤ基板に対して回動させるときの関係の説明図である。
【発明を実施するための形態】
【００３７】
本発明のＬＥＤ照明器具は、複数のＬＥＤ素子を実装したＬＥＤ基板と、前記ＬＥＤ基板に重ね合わせ状態に配置され前記複数のＬＥＤ素子に対応する配光部を形成する配光ユニットを備えたＬＥＤ照明器具において、
前記配光部は異なる配光特性を有する複数の配光特性部で構成され、
前記ＬＥＤ素子と前記配光特性部の組み合わせが選択可能に前記ＬＥＤ基板と前記配光ユニットの相対位置が可変構成である。
以下、本発明の実施形態に係わるＬＥＤ照明器具１について、図面を参照して説明する。
【００３８】
本発明の照明器具１は、不透光性の本体２の下面側の周縁部で囲まれた領域にＬＥＤ素子７が放射する光を所定の配光にて出射する発光部６が取り付けられ、前記発光部６の出射光が道路方向に配光される照明器具である。その一つ形態として、図１乃至図３等に示すように、本体２は、上壁２Ｔと前記上壁２Ｔから下降する周囲壁２Ｓを有し、周囲壁２Ｓで囲まれた下側に開口する開口部２Ａを形成した内部空間４を有する熱良導材で構成され、支柱等への取り付け部１０を後部に備える。照明器具１は、開口部２Ａを塞ぐように本体２に組み合わされる透光性カバー３を備える前後方向に長い形態であり、開口部２Ａに沿って発光部６を配置している。発光部６は、ＬＥＤ素子７が放射する光を所定の配光にて出射する部分であり、ＬＥＤ基板５の下側面にＬＥＤ素子７が配置され、ＬＥＤ素子７を覆うようにＬＥＤ基板５に組み合わされＬＥＤ素子７が放射する光を所定の配光にて出射する配光ユニット８を備える。本体２は、内部空間４のうちの大半を占める前部空間４Ａに、上壁２Ｔから垂下してＬＥＤ基板５の上面が当接する前後方向に延びる熱伝導リブ１１を一体に有する。
【００３９】
図１乃至図３に示すように、本発明のＬＥＤ照明器具１は、下面の略全域が開口するように開口部２Ａを形成し内外両面に防錆効果のある熱伝導性塗装を施した金属製等の熱伝導良好な不透光性の本体２と、この本体２の開口部２Ａを塞ぐように開口部２Ａの周縁部に組み合わされる合成樹脂製の透光性カバー３を備える。透光性カバー３は下方に膨らんだ形態をなし、上端周縁部には上方へ突出する環状のフランジ３Ｆが形成されている。本体２の開口部２Ａの周縁部２Ａ１は、透光性カバー３のフランジ３Ｆが嵌り込む環状の溝２Ｍを有し、溝２Ｍの外側を巡るように下方へ突出する環状のフランジ２Ｆを形成している。
【００４０】
溝２Ｍにフランジ３Ｆが嵌り込むように、透光性カバー３を本体２の開口部２Ａに組み合わせた状態で、ネジＮＪで開口部２Ａの周縁部２Ａ１に固定する。溝２Ｍとフランジ３Ｆのように嵌り合う凹凸構成によって、本体２と透光性カバー３との間が防水構造をなしている。
なお、図２に示すように、溝２Ｍの上底にパッキンを収容すれば、このパッキンがフランジ３Ｆによって圧縮される構成によって、更によい防水効果が得られる。
【００４１】
内部空間４のうちの前部空間４Ａにおいて、開口部２Ａに沿ってＬＥＤ基板５が、後述のように本体２に伝熱的に取り付けられる。電気絶縁性のＬＥＤ基板５は、複数のＬＥＤ素子（発光ダイオード）７を下面に実装し、ＬＥＤ素子７への電路が同じ下面にプリント配線として形成され、このプリント配線を絶縁被膜で覆っている。ＬＥＤ基板５の下面には、ＬＥＤ基板５と重ね合わせ状態に配光ユニット８が配置されている。配光ユニット８は透光性合成樹脂製であり、板状部８１に各ＬＥＤ素子７に対応するように、複数の配光部８２を一体形成しており、所定位置において板状部８１が、ＬＥＤ基板５を貫通して本体２に形成した取り付けボス１３Ｂにネジ９で取り付けられる。配光部８２は各ＬＥＤ素子７に対応して形成され、ＬＥＤ素子７ごとに所定配光の出射光を形成する部分であり、実施例ではレンズ形態をなし、図２３に示すように、ＬＥＤ照明器具１の前後方向軸に対して道路方向である左右方向に長い配光特性を有する部分と、図２４に示すように、ＬＥＤ照明器具１の前後方向軸に対して下方またはやや前方を照射するスポット状の配光特性を有する部分を有する。
図２３及び図２４に示す波紋状の線は、照明器具１に近い領域の照度が高く、遠くなるにしたがって照度が低下する状態の説明用である。
【００４２】
本体２は、アルミニウムを材料としてダイキャスト成形され、電柱等の支柱へ取り付ける取り付け部１０を後部に一体形成し、内部空間４のうちの大半を占める前部空間４Ａには、ＬＥＤ基板５の上面を支える前後方向に並行に延びる複数の熱伝導リブ１１と、熱伝導リブ１１にＬＥＤ基板５の上面が当接した状態でＬＥＤ基板５の４隅の孔５Ｐを通してネジ１２で取り付ける取り付けボス１３が、本体２に一体に形成されている。ＬＥＤ基板５は、取り付けボス１３に取り付けられた状態で、中央部が前後方向に並ぶ本体２に一体形成されたボス１３Ｂで支えられると共に、前部空間４Ａにおける開口部２Ａの多くを塞ぐように、開口部２Ａよりも若干空間４側へ入った位置（前部空間４Ａ側へ入った位置）において、開口部２Ａに略並行に沿った状態である。本体２の内部空間４は、前部から後部に向けて次第に深くなるように（開口部２Ａを基準とすれば次第に上方に高くなるように）形成している。ＬＥＤ基板５の上面には、電気的接続とならないように、下面のプリント配線とは接続しない状態に放熱用の熱伝導被膜が形成されており、この熱伝導被膜が熱伝導リブ１１に当接して、ＬＥＤ基板５の発熱をこの熱伝導被膜から熱伝導リブ１１を経て本体２の表面から放熱する仕組みである。
【００４３】
ＬＥＤ照明器具１は、ＬＥＤ素子７に点灯電力を供給する電源部と、ＬＥＤ素子７の点灯と消灯の制御を行う制御回路とを含む制御部１４が、前部空間４Ａの後方に位置する後部空間４Ｂに配置されている。このため、制御部１４は、ＬＥＤ基板５よりも後方配置となる。制御部１４は、電源部を構成する電気部品及び前記制御回路を構成する電気部品ＥＰがプリント配線基板である制御基板１５の下側面に取り付けられる。
図５に示すように、制御基板１５は、後部空間４Ｂに本体２から一体に突出する４個の取り付けボス１６、１６Ｂに載置した状態で、その対角線上の２か所の取り付けボス１６をネジ１７で固定し、本体２と熱伝導状態となる。残りの対角線上の２か所の取り付けボス１６Ｂは、制御基板１５に形成した対角線上の２か所の孔に嵌合する突起１６Ｔを中央部に備えた位置決めボスである。
この取り付け状態で、制御基板１５は、開口部２Ａから深く空間４側へ入った位置（後部空間４Ｂの上壁に近く入った上方位置）であり、ＬＥＤ基板５よりも上方位置となるように、内部空間４内へ深く入った位置（本体２の上壁に近い位置）を維持する。
【００４４】
内部点検等のために透光性カバー３が本体２から取り外された状態で、作業者が制御部１４の電気回路部分に触れると危険であるため、その危険防止のために、制御部１４を下側から全体的に覆う保護カバー１８を設けている。この保護カバー１８は、後部空間４Ｂに本体２から一体に突出する４個の取り付けボス１９、１９Ｂに載置した状態で、その対角線上の２か所の取り付けボス１９をネジ２０で固定し、残りの対角線上の２か所の取り付けボス１９Ｂは、保護カバー１８に形成した対角線上の２か所の孔に嵌合する突起１９Ｔを中央部に備えた位置決めボスである。
この取り付けによって、保護カバー１８は、制御基板１５及び電気部品ＥＰを含む制御部１４と離間した状態であり、制御基板１５及び電気部品ＥＰに作業者が触れることによる感電を防いでいる。
保護カバー１８は、金属板か不透明状態の合成樹脂板で構成され、透光性カバー３を通して外部から制御部１４が見えないようにする効果もある。
【００４５】
ＬＥＤ照明器具１は、取り付け部１０を後部１Ａに設けそこから前部１Ｂへ長く延びる形態をなし、発光部６の出射光によって、配光ユニット８と透光性カバー３を通して道路等の路面を照明する。
このため、本体２と透光性カバー３は、後部１Ａから前部１Ｂへ長く延びる形態をなし、本体２内に形成される内部空間４も前後方向に長く、前部空間４Ａと後部空間４Ｂが連通状態に形成される。そして、ＬＥＤ基板５及び前部空間４Ａも前後方向に長い形態であり、ＬＥＤ基板５は前後方向に長い矩形状の平板形状である。
この形態のＬＥＤ照明器具１は、取り付け部１０を屋外のポールや電柱等の支柱ＰＬに取付けた状態で、後部１Ａより前部１Ｂが若干高くなる傾斜状態を保つ。取り付け部１０は、図２２のように取り付けバンド３０によって支柱ＰＬに取付けるバンド用取り付け部１０１Ｂと、ポールＰＰの斜め上方に延びる先端部が挿入されるポール用取り付け部１０２を備え、図１、図４及び図５に示すように、ポール用取り付け部１０２を左右位置で挟むようにバンド用取り付け部１０１Ｂを本体２と一体形成している。
【００４６】
ＬＥＤ照明器具１は、取り付け部１０を支柱ＰＬに取付ける状態は、主として、ＬＥＤ照明器具１は、取り付け部１０を支柱ＰＬまたはポールに取付けた状態で、図２２に示すように、水平ラインに対して開口部２Ａのラインが、後部１Ａより前部１Ｂが角度αだけ若干高くなる傾斜取り付け状態を保つ。前後方向に延びる熱伝導リブ１１相互間がこの空気の対流通路となるように、熱伝導リブ１１相互間の通路の前端部と後端部が解放している。このため、本体２内の内部空間４の空気は、熱伝導リブ１１間を後部空間４Ｂから前部空間４Ａへ向けて流れ、前部１Ｂにおいて冷却されて熱伝導リブ１１の外側通路から後部空間４Ｂへ向けて帰還する対流が生じ易くなる。このような対流によって、本体２内の放熱効果が促進される。
なお、本発明のＬＥＤ照明器具１は、取り付け部１０を支柱ＰＬに取付けた状態で、水平ラインに対して開口部２Ａのラインが略並行となる水平取り付け形態でもよい。この場合も、空間４は、後部１Ａよりも前部１Ｂが若干高くなる傾斜となるように、本体２を構成することにより、上記同様の空気の対流が得られる。
【００４７】
ＬＥＤ素子７の点灯による発熱は、前部空間４Ａへ放散される熱と、ＬＥＤ基板５を通して本体２に伝達される熱は、本体２から放熱される。ＬＥＤ素子７の点灯による発熱のうち、ＬＥＤ基板５から熱伝導リブ１１を通して本体２に伝達される熱の伝達効果を向上させるために、熱伝導リブ１１は、ＬＥＤ素子７の裏側（上面側）に対向する位置に形成する。
【００４８】
ＬＥＤ照明器具１は、周囲の照度を検知して日暮れ時から夜明けまでの夜間にＬＥＤ素子７が点灯するように制御部１４に電気的に接続された光センサＳＳを備える。光センサＳＳは、制御基板１５と電気的に接続されるセンサ基板１５Ｈに取り付けた光を透過しないホルダ２１内に保持されており、光センサＳＳがＬＥＤ照明器具１の後方の周囲の照度を検知するように、ホルダ２１が本体２の後壁２Ｂに形成した採光窓（採光孔ともいう）２Ｈに保持されている。ホルダ２１は、光センサＳＳへ周囲の光が侵入するように後方に開口しており、この開口と採光窓２Ｈを防水状態に塞ぐように透光性のカバー２２が採光窓２Ｈに挿入保持され、透光性のカバー２２とホルダ２１が結合されて、ホルダ２１が採光窓２Ｈに保持される関係である。センサ基板１５Ｈの上端部は本体の上壁２Ｔに一体形成した支持ボス５６に支持された状態で、制御基板１５の後端部がセンサ基板１５Ｈの前側面の上部に近接または当接する状態となる関係である。
採光窓２Ｈは取り付け部１０から外れた位置となるように、取り付け部１０の横側で後壁２Ｂに形成され、取り付け部１０による照明器具１の取り付けにおいて、光センサＳＳがＬＥＤ照明器具１の後方の周囲の照度を検知でき、日没による照度低下を検知し制御部１４の動作に基づきＬＥＤ素子７を発光させ、日の出による照度上昇を検知し制御部１４の動作に基づきＬＥＤ素子７を消灯させるように動作する。
【００４９】
ＬＥＤ照明器具１へ外部電源から電力供給を行うために、ＬＥＤ照明器具１へ供給される外部電源ライン２３は、本体２の後壁２Ｂに形成した貫通孔２４に挿入される絶縁ゴム製のブッシング２５を貫通し、その先端に取り付けた電源コネクタ２６が制御部１４の電源部に電気的に接続される。
【００５０】
ＬＥＤ素子７は前後方向に長い矩形状のＬＥＤ基板５の下側面に、前後方向に間隔を存して複数列状態に配置され、熱伝導リブ１１は、ＬＥＤ素子７の各列の裏側（上面側）に対向する位置に形成する。図に示した実施例の場合は、ＬＥＤ素子７はＬＥＤ基板６に前後方向に間隔を存して２列状態に配置され、図３に示すように、熱伝導リブ１１は、２列配置のＬＥＤ素子７に対向する位置の裏側（上面側）に形成している。
【００５１】
ＬＥＤ基板５は、所謂金属基板でもよいが、低コスト化として、電気絶縁性の一枚の合成樹脂製を採用する。上記のような本体２、ＬＥＤ基板５、制御部１４、熱伝導リブ１１の関係構成は、ＬＥＤ基板５が電気絶縁性の平板である場合に、ＬＥＤ素子７の発熱を効果的に放熱する効果がある。なお、電気絶縁性の平板のＬＥＤ基板５のＬＥＤ素子７が実装された下面とは反対側の上面に形成した熱伝導被膜により、ＬＥＤ素子７の発熱がＬＥＤ基板５及び前記熱伝導被膜から熱伝導リブ１１を通して本体２に伝達され、効果的な放熱が行える。
【００５２】
本発明の特徴であるＬＥＤ基板５と配光ユニット８の相対位置が可変構成である点について、図に基づき以下に記載する。以下の記載は、上記のように、ＬＥＤ照明器具１の支柱ＰＬへの取付ける状態が、図２２に示すような水平ラインに対して斜め前上方へ角度αの傾斜取り付け状態、または水平取り付け形態のいずれにおいても適用されるが、このような傾斜取り付け状態の場合と水平取り付け形態の場合に応じて配光が適正となるように、配光特性部８３からの出射光の範囲を考慮した配光特性部８３とすればよい。
【実施例１】
【００５３】
配光ユニット８は、平板状の板状部８１に複数の配光部８２を一体形成している。配光部８２は、ＬＥＤ素子７ごとに所定配光の出射光を形成するために、異なる配光特性を有するそれぞれ独立した複数の配光特性部８３で構成され、ＬＥＤ素子７と配光特性部８３の組み合わせが選択可能となるように、ＬＥＤ基板５と配光ユニット８の相対位置が可変構成である。この可変構成は、ＬＥＤ基板５に対して配光ユニット８を取り外して、ＬＥＤ素子７と配光特性部８３の組み合わせ状態が変わるようにする方式と、ＬＥＤ基板５に対して配光ユニット８を回動させてＬＥＤ素子７と配光特性部８３の組み合わせ状態が変わるようにする方式があるが、後者の方式が、ＬＥＤ基板５と配光ユニット８の相対位置を容易に変えることができるため、その具体的構成について以下に記載する。
【００５４】
実施例では、配光部８２は、二種類の配光特性を有するように二種類の配光特性部８３を有する形態である。その場合、配光特性部８３は、それぞれ独立して形成した第１配光特性を有する第１の配光特性部８３Ａと、第２配光特性を有する第２の配光特性部８３Ｂで構成する。配光ユニット８は、左右方向の配光特性とスポット状配光特性を有し、これら配光特性の一方が第１の配光特性部８３Ａで形成され、他方が第２の配光特性部８３Ｂで形成される。
図示の構成では、第１の配光特性部８３Ａが左右方向の配光特性を有し、第２の配光特性部８３Ｂがスポット状配光特性を有する。
【００５５】
ＬＥＤ素子７はＬＥＤ基板５に前後方向に等間隔を存して左右対称に複数列状態に配置され、配光ユニット８は、ＬＥＤ基板５に対して前後方向に複数の分離した分離配光ユニットで構成される。実施例では、配光ユニット８は、ＬＥＤ基板５に対して前後方向に分離した二つの分離配光ユニット８Ｐ、８Ｑで構成している。
【００５６】
分離配光ユニット８Ｐ、８Ｑは、それぞれ平板状の板状部８１に複数の配光部８２、即ち、第１の配光特性部８３Ａと第２の配光特性部８３Ｂが一体形成されている。第１の配光特性部８３Ａと第２の配光特性部８３Ｂは、それぞれ複数列状態の各ＬＥＤ素子７の所定のものに対応する構成である。
実施例では、図１、図５、図６等に示すように、ＬＥＤ基板５は前後方向に長い平板の矩形状をなし、ＬＥＤ素子７はＬＥＤ基板５に前後方向に間隔を存して直線状に２列状態に配置され、各列に８個のＬＥＤ素子７が等間隔配置され、これが左右対称に２列状態の配置である。
【００５７】
このようなＬＥＤ素子７の配列に合わせて、二つの分離配光ユニット８Ｐ、８Ｑが前後に間隔を存してＬＥＤ基板５の下側面に重ね合わせ状態で組み合わされる。ＬＥＤ基板５のＬＥＤ素子７が実装される平面に略直行する軸線を回動中心部ＯＰとし、分離配光ユニット８Ｐ、８Ｑは、それぞれＬＥＤ基板５の回動中心部ＯＰに形成した孔ＣＨを貫通して取り付けボス１３Ｂに取り付ける軸９０によって回動可能に支持されている。軸９０は分離配光ユニット８Ｐ、８Ｑに一体形成している。このため、分離配光ユニット８Ｐ、８Ｑは、軸９０を中心とした回動によって、第１の状態と第２の状態のいずれかになる。実施例では、第１の状態に対して第２の状態は図４に角度θで示すように略９０度の角度をなす。
【００５８】
分離配光ユニット８Ｐ、８Ｑは略四辺形状をなし、分離配光ユニット８Ｐには、９０度回動させた上記第１の状態において、２列状態のＬＥＤ素子７のうちの前側の左右８個のＬＥＤ素子７Ａにそれぞれ対応する８個の第１の配光特性部８３Ａが形成されている。この第１の状態は、図８及び図９に示す。また、分離配光ユニット８Ｐには、上記第２の状態において、２列状態のＬＥＤ素子７の前側の左右４個の合計８個のＬＥＤ素子７Ａにそれぞれ対応する８個の第２の配光特性部８３Ｂが形成されている。この第２の状態は、図１３及び図１４に示す。
【００５９】
また、分離配光ユニット８Ｑには、上記第１の状態において、図８に示すように、２列状態のＬＥＤ素子７のうちの後側の左右４個の合計８個のＬＥＤ素子７Ｂにそれぞれ対応する８個の第１の配光特性部８３Ａが形成されている。この第１の状態は、図８及び図９に示す。また、分離配光ユニット８Ｑには、９０度回動させた上記第２の状態において、２列状態のＬＥＤ素子７の後側の左右４個の合計８個のＬＥＤ素子７Ｂにそれぞれ対応する８個の第２の配光特性部８３Ｂが形成されている。この第２の状態は、図１３及び図１４に示す。
このように分離配光ユニット８Ｐ及び分離配光ユニット８Ｑが９０度回動した第２の状態は、図１３に示す。
【００６０】
分離配光ユニット８Ｐ、８Ｑは、ＬＥＤ照明器具１の前後方向に対して、左右方向に楕円形、長円形等のように長く延びる左右方向の配光特性が形成されるように、第１の配光特性部８３Ａを形成している。このため、第１の配光特性部８３Ａは、図７乃至図１６から明らかなように、板状部８１からかまぼこ形態または米俵の半分の形態のように、断面が略一定の半円形で以って左右方向に長く前後端部が球面状をなして下方へ突出するレンズ構成であり、内部にＬＥＤ素子７が侵入する下方に向けて窄む窪み９３が形成されている。これによって、第１の配光特性部８３Ａでは、ＬＥＤ素子７の発光がレンズ効果によって拡がり、ＬＥＤ照明器具１の下方向を左右に通る道路面に左右方向に長く延びる配光が形成される。この状態の道路面の配光の一例を図２３に示す。
【００６１】
なお、図面に示す第１の配光特性部８３Ａは、中央部に長さ方向の直線が描かれ、この直線の前後端部から複数の斜線が描かれているが、これはコンピュータ作図によって生じる曲面の表示であり、配光特性部８３Ａの形態は上記のように、断面が略一定の半円形状の長さの両端部が球面形状のレンズ構成である。
【００６２】
このように、ＬＥＤ照明器具１の前後方向に対して、左右方向に楕円形、長円形等のように長く延びる左右方向の配光特性が形成される第１の状態の場合は、主として、左右方向に延びる道路の端に道路方向に沿って所定間隔で以って支柱ＰＬが設置され、この支柱ＰＬの上部に道路に略直交するように交差状態にＬＥＤ照明器具１を設置する。
これによって隣接するＬＥＤ照明器具１によって形成される左右方向の配光特性の先端部同士が一部重なり合う状態、または左右方向の配光特性が連続する状態とすることによって、道路方向に長く道路面を照明することができる。
【００６３】
また、分離配光ユニット８Ｐ、８Ｑは、ＬＥＤ照明器具１の下方向に略円形状等の丸形や多角形、または前後方向の楕円形、長円形等のスポット状配光特性が形成されるように、第２の配光特性部８３Ｂを形成している。第２の配光特性部８３Ｂは、レンズ構成またはＬＥＤ素子７の発光が略そのまま通過する透光構成であり、実施例では図７乃至図１６から明らかなように、四角形状のＬＥＤ素子７の形状に合わせるように、板状部８１から四角形態で下方へ突出し下面が一方向に傾斜した平面構成をなす。これはＬＥＤ素子７の発光が傾斜によって屈曲して若干前方へ向けて出射されるレンズ構成であり、内部にＬＥＤ素子７が侵入する四角形状の窪み９４が形成されている。これによって後述のように、第２の配光特性部８３ＢがＬＥＤ素子７に対応した第２の状態において、第２の配光特性部８３Ｂの下面が若干前方へ向く状態となり、ＬＥＤ照明器具１の下方向に前後方向の楕円形、長円形等の前後方向に若干長いスポット状配光が形成される。この状態の道路面の配光の一例を図２４に示す。
【００６４】
なお、ＬＥＤ素子７の発光が略そのまま通過する透光構成の場合は、板状部８１から四角形態で下方へ突出し下面が傾斜せず板状部８１に並行な平面構成をなす。この場合は、後述のように、第２の配光特性部８３ＢがＬＥＤ素子７に対応した第２の状態において、第２の配光特性部８３ＢからＬＥＤ素子７の発光が略そのまま通過して、ＬＥＤ照明器具１の下方向の道路面に略円形状等の丸形や多角形、または前後方向の楕円形、長円形等のスポット状配光が形成される。
【００６５】
このように、ＬＥＤ照明器具１の下方向に略円形状等の丸形や多角形、または前後方向の楕円形、長円形等のスポット状配光が形成される第２の状態の場合は、例えば、図２４に示すような二叉路または三叉路のように交差する道路のコーナー部の端に設置する支柱ＰＬの上部に、交差する道路のコーナー部の路面を照明するようにＬＥＤ照明器具１を設置する。
これによってＬＥＤ照明器具１によって、図２４に示すように、交差する道路のコーナー部の路面をスポット的に照明することができ、安全確保ができる。
また、この第２の状態の場合は、公園等の一部の地面を照明する場合にも用いることができる。
【００６６】
分離配光ユニット８Ｐ、８Ｑは、回動時に相互接触しない程度に、配光特性部８３Ａ、８３Ｂが存在しない板状部８１の四隅部８１Ｓが、面取り状や曲面状等に切除された形状をなす。
【００６７】
上記のように、ＬＥＤ基板５に対して分離配光ユニット８Ｐ、８Ｑが回動する。各ＬＥＤ素子７に各第１の配光特性部８３Ａが対応する状態が第１の状態である。また、各ＬＥＤ素子７に各第２の配光特性部８３Ｂが対応する状態が第２の状態である。
【００６８】
ＬＥＤ基板５に対して分離配光ユニット８Ｐ、８Ｑの回動と所定位置への位置決めを達成するために、分離配光ユニット８Ｐ、８Ｑは、図７に示すように、板状部８１からＬＥＤ基板５に向けて突出する複数の突状ボス９１を有する。また、ＬＥＤ基板５には、突状ボス９１が侵入する挿入部９２を形成している。
実施例では、図６に示すように、挿入部９２は、回動中心部ＯＰを中心とした所定半径ＰＲで形成する円周ＰＳ上に略９０度間隔で以って、前部に４個、後部に４個形成している。また、分離配光ユニット８Ｐ、８Ｑにはそれぞれ回動中心部ＯＰを中心とした所定半径ＰＲで形成する円周ＰＳと一致する円周上に、９０度間隔で突状ボス９１を複数個（図では３個）形成している。
【００６９】
実施例ではボス９１が円柱状であるため、それに合わせて挿入部９２は円形状の孔である。このため、前記第１の状態において、ＬＥＤ基板５と分離配光ユニット８Ｐ、８Ｑは所定状態で重なり合った状態であり、各ＬＥＤ素子７は対応する各第１の配光特性部８３Ａの入射光側窪み９３に侵入状態であり、所定の第１の配光となる。また、前記第２の状態において、ＬＥＤ基板５と分離配光ユニット８Ｐ、８Ｑは所定状態で重なり合った状態であり、各ＬＥＤ素子７は対応する各第２の配光特性部８３Ｂの入射光側窪み９４に侵入状態であり、所定の第２の配光となる。
【００７０】
上記のように、第１の状態とするか第２の状態とするかを選択するために、分離配光ユニット８Ｐ、８Ｑを回動させる場合、分離配光ユニット８Ｐ、８ＱがＬＥＤ基板５から離間する範囲を所定の範囲に限定するために、軸９０としてＬＥＤ基板５の孔ＣＨを貫通して取り付けボス１３Ｂに螺合するネジ９を採用している。このネジ９を締め付けた状態で、分離配光ユニット８Ｐ、８ＱがＬＥＤ基板５に重なるように、ＬＥＤ基板５の下面の所定位置に取り付けられる。このためネジ９は、ＬＥＤ基板５に対する分離配光ユニット８Ｐ、８Ｑの取り付けネジの作用と、ＬＥＤ基板５に対する分離配光ユニット８Ｐ、８Ｑの回動軸の作用と、更にＬＥＤ基板５を本体２に取り付ける固定ネジの作用を受け持つ。
【００７１】
ボス９１が挿入部９２から脱する状態までネジ９を緩めた状態で、分離配光ユニット８Ｐ、８Ｑがネジ９の頭部で支えられる状態となり、この状態で、少なくともＬＥＤ基板５に対しボス９１の高さ分だけ分離配光ユニット８Ｐ、８Ｑが離間する状態となる。このため、ＬＥＤ素子７は、前記第１の状態では、第１の配光特性部８３Ａの窪み９３から脱した状態となり、前記第２の状態では、第２の配光特性部８３Ｂの窪み９４から脱した状態となる。
【００７２】
このような状態で分離配光ユニット８Ｐ、８Ｑを円滑に回動させるために、図２５乃至図２７に示すように、ボス９１の突出高さＬ１は、ＬＥＤ素子７がＬＥＤ基板５から突出する高さＬ２よりも長く設定する。このため、ボス９１が挿入部９２から脱する状態までネジ９を緩めて分離配光ユニット８Ｐ、８ＱをＬＥＤ基板５から離間させた状態で、ＬＥＤ基板５の面に沿って回動させるとき、図２７に示すように、少なくともＬＥＤ基板５に対しボス９１の高さ分だけ分離配光ユニット８Ｐ、８Ｑが離間する状態を保つことができ、その状態で分離配光ユニット８Ｐ、８Ｑを回動させても、ＬＥＤ素子７に分離配光ユニット８Ｐ、８Ｑが接触することがなく、安全に分離配光ユニット８Ｐ、８Ｑを回動させることができる。なお、この回動時にボス９１がＬＥＤ素子７に接触しないように、ボス９１の配置が考慮されている。
【００７３】
ＬＥＤ基板５の下面の後端部に、制御部１４のコネクタ１４Ｃと電気的に接続するためにコネクタ９５が配置されている。コネクタ９５がＬＥＤ基板５の下面から突出する高さＬ３は、ボス９１の突出高さＬ１よりも短いため、分離配光ユニット８Ｐ、８Ｑの回動時に、コネクタ９５が邪魔になることはない。
【００７４】
上記の構成によって、配光ユニット８である分離配光ユニット８Ｐ、８Ｑは、ＬＥＤ基板５と略並行に回動中心部において回動可能に軸９０で支持され、図８及び図９に示すように、分離配光ユニット８Ｐ、８Ｑの回動によってＬＥＤ素子７に対し第１の配光特性部８３Ａが対応する第１の状態と、図１３及び図１４に示すように、ＬＥＤ素子７に対して分離配光ユニット８Ｐ、８Ｑの第２の配光特性部８３Ｂが対応する第２の状態とに変更可能である。
【００７５】
具体的には、２列状態のＬＥＤ素子７のうち、前側の８個のＬＥＤ素子７が前側の分離配光ユニット８Ｐと対応配置され、後側の８個のＬＥＤ素子７が後側の分離配光ユニット８Ｑと対応配置され、図  ８及び図９に示すように、前記第１の状態において、前側の８個のＬＥＤ素子７に前側の分離配光ユニット８Ｐの第１の配光特性部８３Ａの夫々が対応し、後側の８個のＬＥＤ素子７に後側の分離配光ユニット８Ｑの第１の配光特性部８３Ａの夫々が対応し、図２３に示すような左右方向に長い配光となる。
また、図１３及び図１４に示すように、前記第２の状態において、前側の８個のＬＥＤ素子７に前側の分離配光ユニット８Ｐの第２の配光特性部８３Ｂの夫々が対応し、後側の８個のＬＥＤ素子７に後側の分離配光ユニット８Ｑの第２の配光特性部８３Ｂの夫々が対応し、図２４に示すような円形状またはＬＥＤ照明器具１の前後方向に若干長いスポット的な配光となる。
【００７６】
前記第１の状態において、前側の分離配光ユニット８Ｐの４個のボス９１は、図６に示す９０度間隔の４個の挿入部９２に嵌り、この状態でネジ９を締め付けることにより、前側の分離配光ユニット８ＰはＬＥＤ基板５の下面の所定位置に取り付けられる。また、前記第１の状態において、後側の分離配光ユニット８Ｑの４個のボス９１は、図６に示す４個の挿入部９２に嵌り、この状態でネジ９を締め付けることにより、後側の分離配光ユニット８ＱはＬＥＤ基板５の下面の所定位置に取り付けられる。
このため、道路などの設置環境や風圧などによりＬＥＤ照明装置１に加わる振動によって、ＬＥＤ素子７と第１の配光特性部８３Ａのレンズ出射部、及びＬＥＤ素子７と第２の配光特性部８３Ｂの光軸がずれることなく安定した所定の配光を維持できる。
【００７７】
また、前記第１の状態から９０度回動した前記第２の状態において、前側の分離配光ユニット８Ｐの４個のボス９１は、図６に示す４個の挿入部９２に嵌り、この状態でネジ９を締め付けることにより、前側の分離配光ユニット８ＰはＬＥＤ基板５の下面の所定位置に取り付けられる。また、前記第２の状態において、後側の分離配光ユニット８Ｑの４個のボス９１は、図６に示す４個の挿入部９２に嵌り、この状態でネジ９を締め付けることにより、後側の分離配光ユニット８ＱはＬＥＤ基板５の下面の所定位置に取り付けられる。
【００７８】
なお、配光ユニット８である分離配光ユニット８Ｐ、８Ｑは、第１状態の位置と第２状態の位置において、平面視でＬＥＤ基板５からはみ出ない大きさである。これによって、分離配光ユニット８Ｐ、８Ｑを回動させるとき、分離配光ユニット８Ｐ、８Ｑと、ＬＥＤ基板５の本体２の取り付けボス１６にネジ１７で固定するネジ１７との接触や、本体２の開口部２Ａの周縁との接触等による回動障害が生じる懸念を解決できることとなる。
【００７９】
ＬＥＤ照明器具１の前後方向に対して、左右方向に楕円形、長円形等のように長く延びる左右方向の配光が形成される状態と、ＬＥＤ照明器具１の下方向に略円形状等の丸形や多角形、または前後方向の楕円形、長円形等のスポット状配光が形成される状態を示したが、配光形態はこれに限定されず、ＬＥＤ照明器具１が設置される場所の状況に合わせた配光形態が得られるように、配光ユニット８には複数の配光特性部８３を備えるように構成すればよい。
【００８０】
このため、第１の配光特性部８３Ａと第２の配光特性部８３Ｂは、上記の形態に限定されず、第１の配光特性部８３Ａは左右方向の配光形成とし、第２の配光特性部８３Ｂは円形状凸レンズ形態としてＬＥＤ照明器具１の下方に円形状等のスポット照明を形成する形態でもよい。
この場合も、ボス９１が挿入部９２に嵌る関係によって、ＬＥＤ素子７と第１の配光特性部８３Ａ及び第２の配光特性部８３Ｂのレンズ出射部が位置決めされるため、道路などの設置環境や風圧などによりＬＥＤ照明器具１に加わる振動によって、ＬＥＤ素子７と第１の配光特性部８３Ａのレンズ出射部、及びＬＥＤ素子７と第２の配光特性部８３Ｂのレンズ出射部の光軸がずれることなく安定した所定の配光を維持できる。
【００８１】
また、ＬＥＤ照明器具１の設置場所に応じて、例えば、第１の配光特性部８３Ａは左右方向の配光が前方へＶ字状となるように形成することができる。
更に、第１の配光特性部８３Ａは左右方向の配光形成であるが、Ｌ字状に屈曲する道路に適合するように、左右方向の配光の一方へ照射する光を遮断するように、本体２に遮光板を取り付けるようにすることができる。
【００８２】
更にまた、Ｌ字状に屈曲する道路に適合するように、その屈曲部の端に設置した支柱ＰＬにＬＥＤ照明器具１を取り付ける場合、第１の配光特性部８３Ａまたは第２の配光特性部８３Ｂが、Ｌ字状の配光となるようなレンズ形態とすればよい。
【００８３】
このように、ＬＥＤ照明器具１の取り付け場所に応じて、いずれの配光状態とするかの選択が可能となり、一つの機種のＬＥＤ照明器具で以ってそれぞれの取り付け場所への適用範囲が広がり、取り付け場所ごとに異なる機種を製造する必要が少なくなる効果がある。
【００８４】
上記実施例１では、ＬＥＤ基板５を本体２の取り付けボス１３にネジ１２で取り付けているが、これに替わって、アルミニウム等の金属製の放熱板を本体２の取り付けボス１３にネジ１２で固定し、前記放熱板の下面にＬＥＤ基板５をネジ止めし、ＬＥＤ素子７の発熱をＬＥＤ基板５と前記放熱板を通して本体２から放散する構成とするものでもよい。
【００８５】
実施例１のものは、１枚の平板状のＬＥＤ基板５に前後方向に２列状態でＬＥＤ素子７が配列されているが、本発明はこれに限定されるものではなく、１列または３列以上の構成でもよい。
【００８６】
実施例１のものは、分離配光ユニット８Ｐ、８ＱはＬＥＤ基板５に対して、前記第１の状態と第２の状態を取るように正方向と逆方向に９０度回動すればよいが、それ以上正方向と逆方向に回動するか、または正方向と逆方向に３６０度回転する構成でもよい。
【００８７】
また、分離配光ユニット８Ｐ、８ＱがＬＥＤ基板５に対して、正方向と逆方向に３６０度回転する構成の場合には、分離配光ユニット８Ｐ、８Ｑの位置決めがし難いため、前記第１の状態と第２の状態で分離配光ユニット８Ｐ、８Ｑが位置決めされるようにする構成とする。その構成は、図６に示すように、分離配光ユニット８Ｐ、８Ｑに対応して、ＬＥＤ基板５には、円周ＰＳの内側に回動中心部ＯＰを中心とした所定半径で形成する円周ＬＳ上に９０度間隔に位置決め挿入部９２Ｂを形成し、分離配光ユニット８Ｐ、８Ｑにそれぞれ回動中心部ＯＰを中心とした所定半径で形成する円周ＬＳと一致する円周上に一つの位置決めボス９１Ｂを形成し、前記第１の状態でこの位置決めボス９１Ｂが一方の位置決め挿入部９２Ｂに挿入され、前記第２の状態でこの位置決めボス９１Ｂが他方の位置決め挿入部９２Ｂに挿入される関係である。
【００８８】
実施例１のものは、１枚の平板状のＬＥＤ基板５に２枚の配光ユニット８を前後配置としているが、これに限定されない。
その一つの構成として、１枚の平板状のＬＥＤ基板５に１枚の配光ユニット８（例えば、分離配光ユニット８Ｐのみ）を配置し、ＬＥＤ基板５に上記のように異なる配光特性を持つ複数の配光特性部８３を有する１枚の配光ユニット８を重ね合わせ、ＬＥＤ素子７と配光特性部８３の組み合わせが選択可能となるように、配光ユニット８の取り外しまたは回動によって、ＬＥＤ基板５と配光ユニット８の相対位置を可変構成とすることができる。
【００８９】
また、ＬＥＤ基板５の中央部に配光ユニット８（例えば、分離配光ユニット８Ｐのみ）を配置する場合は、図６、図１７、図１８に示すように、この配光ユニット８の中央部を上記同様に、ネジ９でＬＥＤ基板５の回動中心部に形成した孔ＣＨ１を貫通して取り付けボス１３Ｂ１に回動可能に支持する。この場合も上記同様に、孔ＣＨ１を中心として所定半径で形成する円周ＬＳ上に９０度間隔に位置決め挿入部９２Ｂ１を形成し、これに選択的に位置決めボス９１Ｂが嵌り合うようにする。この場合、一つの配光ユニット８Ｐの配光特性部８３Ａと８３Ｂに対応するＬＥＤ素子７は、図６において左右列のそれぞれ中央部の４個ずつであり、配光ユニット８を９０°正逆方向に回動させることにより、図１７に示すように前記第１の状態と、図１８に示すように前記第２の状態とに変更可能となる。
【００９０】
また、他の構成として、例えば、平板状のＬＥＤ基板５を前後に複数枚配置し、ＬＥＤ基板５毎に上記のように異なる配光特性を持つ複数の配光特性部８３を有する１枚の配光ユニット８を重ね合わせ、ＬＥＤ素子７と配光特性部８３の組み合わせが選択可能となるように、ＬＥＤ基板５と配光ユニット８の相対位置を可変構成とすることができる。
【００９１】
更に、他の構成として、２枚またはそれ以上の枚数の平板状のＬＥＤ基板５を左右に同一平面上に配置し、各ＬＥＤ基板５に上記のように異なる配光特性を持つ複数の配光特性部８３を有する配光ユニット８を重ね合わせ、ＬＥＤ素子７と配光特性部８３の組み合わせが選択可能となるように、ＬＥＤ基板５と配光ユニット８の相対位置を可変構成とすることができる。
【００９２】
更にまた、他の構成として、上方にＶ字状に開いた放熱板または取り付け板を前後方向に長く本体２の内部空間４にネジ等にて取り付け、このＶ字状の放熱板または取り付け板の左右傾斜面に、それぞれ上記のように異なる配光特性を持つ複数の配光特性部８３を有する配光ユニット８を重ね合わせ、ＬＥＤ素子７と配光特性部８３の組み合わせが選択可能となるように、ＬＥＤ基板５と配光ユニット８の相対位置を可変構成とすることができる。
【００９３】
実施例１のものは、ＬＥＤ照明器具１の前後方向に対して、左右方向に楕円形、長円形等のように長く延びる左右方向の配光特性が形成される状態と、ＬＥＤ照明器具１の下方向に略円形状等の丸形や多角形、または前後方向の楕円形、長円形等のスポット状配光が形成される状態を示したが、配光形態はこれに限定されず、ＬＥＤ照明器具１が設置される場所の状況に合わせた配光形態が得られるように、配光ユニット８には複数の配光特性部８３を備えるように構成すればよい。
【００９４】
分離配光ユニット８Ｐ、８Ｑにはそれぞれ回動中心部ＯＰを中心とした所定半径ＰＲで形成する円周ＰＳと一致する円周上に、９０度間隔で突状ボス９１を合計４個形成しており、これによってＬＥＤ基板５に対して分離配光ユニット８Ｐ、８Ｑを並行状態で円滑に回動させることができる。しかし、突状ボス９１と挿入部９２は、ＬＥＤ基板５に対する分離配光ユニット８Ｐ、８Ｑの位置決めを第１義とすれば、突状ボス９１と挿入部９２の数はこれに限定されない。
【００９５】
上記の構成では、配光ユニット８は平板状に形成したが、可撓性の板または可撓性の厚手のフィルムに第１の配光特性部８３Ａと第２の配光特性部８３Ｂを形成する形態により、本体２への取り付け状態によって種々の配光形態とすることができる。
【実施例２】
【００９６】
以下、本発明の実施例２について記載する。
実施例２の形態も、実施例１と同様に、ＬＥＤ基板５が本体２の取り付けボス１３にネジ１２で取り付けられており、ＬＥＤ基板５に配光ユニット８が組み合わされ、ＬＥＤ基板５に配置したＬＥＤ素子７と、配光ユニット８の複数の配光部８２を構成する配光特性部８３との組み合わせが選択可能に、ＬＥＤ基板５と配光ユニット８の相対位置が可変構成である。
この可変構成を容易にするために、ＬＥＤ素子７と配光特性部８３の組み合わせが選択可能に、配光ユニット８はＬＥＤ基板５と略並行に回動中心部ＯＰで回動可能である。
【００９７】
図１９乃至図２１に示すように、平板状のＬＥＤ基板５に単一の配光ユニット８を回動可能に構成したものであり、その場合、ＬＥＤ基板５は平面視で略正方形かそれに近い矩形状であり、配光ユニット８は、ＬＥＤ基板５と同様に平面視で略正方形かそれに近い矩形状でもよいが、図示のものは円形状の形態として示している。この場合も、配光ユニット８が回動するとき、及び後述の第１の状態の位置と第２の状態の位置において、平面視で配光ユニット８はＬＥＤ基板５からはみ出ない大きさである。
【００９８】
実施例１と同様に、ＬＥＤ基板５の中央部を配光ユニット８の回動中心部ＯＰとし、この回動中心部ＯＰに形成した孔ＣＨを貫通して取り付けボス１３Ｂに螺合する取り付ける軸９０によって、配光ユニット８を回動可能に支持されている。この軸９０は、実施例１と同様に本体２の取り付けボスに取り付けるネジ９で構成している。
【００９９】
ＬＥＤ基板５の下面には、回動中心部ＯＰから所定半径ＣＲで描かれる円周ＣＳ上に、９０度間隔で４個のＬＥＤ素子７を配置している。ＬＥＤ基板５の下面または上面に、ＬＥＤ素子７への電路がプリント配線として形成され、この配線を絶縁被膜で覆っている。
【０１００】
配光ユニット８は、平板状の板状部８１に複数の配光部８２を一体形成している。配光部８２は、異なる配光特性を有する複数の配光特性部８３で構成され、ＬＥＤ素子７と配光特性部８３の組み合わせが選択可能となるように、ＬＥＤ基板５と配光ユニット８の相対位置が可変構成である。
【０１０１】
配光部８２は、二つの配光特性を有するように二つの配光特性部８３を有する形態である。その場合、配光特性部８３は、第１配光特性を有する第１の配光特性部８３Ａと、第２配光特性を有する第２の配光特性部８３Ｂで構成する。配光ユニット８は、左右方向の配光特性とスポット状配光特性を有し、これら配光特性の一方が第１の配光特性部８３Ａで形成され、他方が第２の配光特性部８３Ｂで形成される。
図示の構成では、第１の配光特性部８３Ａが左右方向の配光特性を有し、第２の配光特性部８３Ｂがスポット状配光特性を有する。
【０１０２】
配光ユニット８は、ＬＥＤ照明器具１の前後方向に対して左右方向に楕円形、長円形等のように長く延びる左右方向の配光特性が形成されるように、第１の配光特性部８３Ａを形成している。このため、第１の配光特性部８３Ａは、上記実施例１と同様に、板状部８１からかまぼこ形態または米俵の半分の形態のように、断面が略一定の半円形で以って左右方向に長く前後端部が球面状をなして下方へ突出するレンズ構成であり、内部にＬＥＤ素子７が侵入する下方に向けて窄む窪み９３が形成されている。これによって、実施例１と同様に、第１の配光特性部８３Ａでは、ＬＥＤ素子７の発光がレンズ効果によって左右方向へ拡がり、ＬＥＤ照明器具１の下方向を左右に通る路面に左右方向に長く延びる配光が形成される。この状態が前記第１の状態である。
【０１０３】
また、配光ユニット８は、ＬＥＤ照明器具１の下方向に略円形状等の丸形や多角形、または前後方向の若干長い楕円形、長円形等のスポット状配光が形成されるように、第２の配光特性部８３Ｂを形成している。第２の配光特性部８３Ｂは、図２１に拡大図として示すように、中央部が最下部となるような半球形状、円錐形状等のように、中央部に向けて全周から膨出する膨出形状のレンズ構成であり、内部にＬＥＤ素子７が侵入する略半球形状の窪み９４が形成されている。これによって、第２の配光特性部８３Ｂでは、ＬＥＤ素子７の発光がレンズ効果によって、ＬＥＤ照明器具１の下方向の路面に略円形状等の丸形や多角形、または前後方向の若干長い楕円形、長円形等のスポット状配光が形成される。この状態が前記第２の状態である。
このスポット状配光のＬＥＤ照明器具１を略直角に曲がる道路のコーナー部に取り付けた状態の配光状態を図２４に示す。
【０１０４】
上記のように、実施例１と同様に、ＬＥＤ基板５に対して配光ユニット８が回動する。各ＬＥＤ素子７に各第１の配光特性部８３Ａが対応する状態が第１の状態であり、この第１の状態は、図２０に示す。また、各ＬＥＤ素子７に各第２の配光特性部８３Ｂが対応する状態が第２の状態であり、この第２の状態は、図２１に示す。
【０１０５】
実施例１と同様に、ＬＥＤ基板５に対して配光ユニット８の回動と所定位置への位置決めを達成するために、配光ユニット８は、板状部８１からＬＥＤ基板５に向けて突出する複数の突状ボス９１を有する。また、ＬＥＤ基板５には、配光ユニット８を前記第１の状態と前記第２の状態に維持すれる位置に、ボス９１が挿入される挿入部９２を有する。挿入部９２は、円周ＣＳの内側位置に、回動中心部ＯＰから所定半径ＮＲで描かれる円周ＮＳ上に、略４５度間隔で形成している。また、配光ユニット８には回動中心部ＯＰを中心とした所定半径ＮＲで形成する円周ＮＳと一致する円周上に、９０度間隔で突状ボス９１を形成している。
【０１０６】
実施例ではボス９１が円柱状であるため、それに合わせて挿入部９２は円形状の孔である。このため、前記第１の状態において、ＬＥＤ基板５と配光ユニット８は所定状態で重なり合った状態であり、各ＬＥＤ素子７は対応する各第１の配光特性部８３Ａの窪み９３に侵入状態であり、所定の第１の配光となる。また、前記第２の状態において、ＬＥＤ基板５と配光ユニット８は所定状態で重なり合った状態であり、各ＬＥＤ素子７は対応する各第２の配光特性部８３Ｂの窪み９４に侵入状態であり、所定の第２の配光となる。
【０１０７】
上記のように、第１の状態とするか第２の状態とするかを選択するために、配光ユニット８を図２０及び図２１にθで示す略４５度回動させる場合、配光ユニット８がＬＥＤ基板５から離間する範囲を所定の範囲に限定するために、軸９０としてＬＥＤ基板５の孔ＣＨを貫通して本体２の取り付けボス１３Ｂに螺合するネジ９を採用している。このネジ９を締め付けた状態で、配光ユニット８がＬＥＤ基板５に重なるように、ＬＥＤ基板５の下面の所定位置に取り付けられる。このためネジ９は、ＬＥＤ基板５に対する配光ユニット８の取り付けネジの作用と、ＬＥＤ基板５に対する配光ユニット８の回動軸の作用を受け持つ。
【０１０８】
ボス９１が挿入部９２から脱する状態までネジ９を緩めた状態で、配光ユニット８がネジ９の頭部で支えられる状態となり、この状態で、少なくともＬＥＤ基板５に対しボス９１の高さ分だけ配光ユニット８が離間する状態となる。このため、ＬＥＤ素子７は、前記第１の状態では、第１の配光特性部８３Ａの窪み９３から脱した状態となり、前記第２の状態では、第２の配光特性部８３Ｂの窪み９４から脱した状態となる。
【０１０９】
このような状態で配光ユニット８を円滑に回動させるために、実施例１において図２５乃至図２７に示す状態と同様に、ボス９１の突出高さＬ１は、ＬＥＤ素子７がＬＥＤ基板５から突出する高さＬ２よりも長く設定する。このため、ボス９１が挿入部９２から脱する状態までネジ９を緩めて配光ユニット８をＬＥＤ基板５から離間させた状態で、ＬＥＤ基板５の面に沿って回動させるとき、図２７に示すように、少なくともＬＥＤ基板５に対しボス９１の高さ分だけ配光ユニット８が離間する状態を保つことができ、その状態で配光ユニット８を回動させても、ＬＥＤ素子７に配光ユニット８が接触することがなく、安全に配光ユニット８を回動させることができる。なお、この回動時にボス９１はＬＥＤ素子７に接触することはない。
【０１１０】
図示の実施例２は、１枚の平板状のＬＥＤ基板５に１枚の配光ユニット８を配置している。この場合、ＬＥＤ基板５も略円形状に形成することができる。ＬＥＤ基板５が図示の形態または円形状の形態のいずれにおいても、これを収容する本体２は、円形状または多角形に形成することができ、本体２に取り付けられる透光性カバー３も同様の形状とすることができる。この場合、ＬＥＤ照明器具１は外観形状が円形状または多角形に形成でき、このＬＥＤ照明器具１は、一般の公園、博物館や美術館等の庭園等に設置すれば、前記第２の状態においてその公園等の一部をスポット状照明として有効となる。
【０１１１】
実施例２のものは、１枚の平板状のＬＥＤ基板５に１枚の配光ユニット８を配置しているが、これに限定されない。
その一つの構成として、実施例１のように、前後方向に長い１枚の平板状のＬＥＤ基板５に２枚の配光ユニット８（分離配光ユニット８Ｐ、８Ｑが円形状とする）を配置し、２枚の配光ユニット８はそれぞれ上記のように異なる配光特性を有し、ＬＥＤ基板５には前後位置にそれぞれ図１９のように円形状にＬＥＤ素子７を配置し、前側配置のＬＥＤ素子７と前側配置の配光特性部８３の組み合わせ、及び後側配置のＬＥＤ素子７と後側配置の配光特性部８３の組み合わせが、前記第１の状態と前記第２の状態に選択可能となるように、２枚の配光ユニット８の取り外しまたは回動によって、ＬＥＤ基板５と配光ユニット８の相対位置を可変構成とすることができる。
【０１１２】
また、他の構成として、例えば、平板状のＬＥＤ基板５を前後に複数枚配置し、ＬＥＤ基板５毎に上記のように異なる配光特性を持つ複数の配光特性部８３を有する１枚の配光ユニット８を重ね合わせ、ＬＥＤ素子７と配光特性部８３の組み合わせが選択可能となるように、ＬＥＤ基板５と配光ユニット８の相対位置を可変構成とすることができる。
【０１１３】
更に、他の構成として、２枚またはそれ以上の枚数の平板状のＬＥＤ基板５を左右に同一平面上に配置し、各ＬＥＤ基板５に上記のように異なる配光特性を持つ複数の配光特性部８３を有する配光ユニット８を重ね合わせ、ＬＥＤ素子７と配光特性部８３の組み合わせが選択可能となるように、ＬＥＤ基板５と配光ユニット８の相対位置を可変構成とすることができる。
【０１１４】
更にまた、他の構成として、上方にＶ字状に開いた放熱板または取り付け板を前後方向に長く本体２の内部空間４にネジ等にて取り付け、このＶ字状の放熱板または取り付け板の左右の傾斜下面にＬＥＤ基板５を取り付け、それぞれ上記のように異なる配光特性を持つ複数の配光特性部８３を有する配光ユニット８をＬＥＤ基板５の下面に重ね合わせ、ＬＥＤ素子７と配光特性部８３の組み合わせが選択可能となるように、ＬＥＤ基板５と配光ユニット８の相対位置を可変構成とすることができる。
【０１１５】
実施例２のものは、ＬＥＤ照明器具１の前後方向に対して、左右方向に楕円形、長円形等のように長く延びる左右方向の配光特性が形成される状態と、ＬＥＤ照明器具１の下方向に略円形状等の丸形や多角形、または前後方向の楕円形、長円形等のスポット状配光が形成される状態を示したが、配光形態はこれに限定されず、ＬＥＤ照明器具１が設置される場所の状況に合わせた配光形態が得られるように、配光ユニット８には複数の配光特性部８３を備えるように構成すればよい。
【０１１６】
配光ユニット８には回動中心部ＯＰを中心とした所定半径ＮＲで形成する円周ＮＳと一致する円周上に、９０度間隔で突状ボス９１を合計４個形成しており、これによってＬＥＤ基板５に対して配光ユニット８を並行状態で円滑に回動させることができる。しかし、突状ボス９１と挿入部９２は、ＬＥＤ基板５に対する配光ユニット８の位置決めを第１義とすれば、突状ボス９１と挿入部９２の数はこれに限定されない。
【０１１７】
上記のように、ＬＥＤ照明器具１の前後方向に対して、左右方向に楕円形、長円形等のように長く延びる左右方向の配光が形成される状態と、ＬＥＤ照明器具１の下方向に略円形状等の丸形や多角形、または前後方向の楕円形、長円形等のスポット状配光が形成される状態を示したが、配光形態はこれに限定されず、ＬＥＤ照明器具１が設置される場所の状況に合わせた配光形態が得られるように、配光ユニット８には複数の配光特性部８３を備えるように構成すればよい。
【０１１８】
このため、第１の配光特性部８３Ａと第２の配光特性部８３Ｂは、上記の形態に限定されず、ＬＥＤ照明器具１の設置場所に応じて、例えば、第１の配光特性部８３Ａは左右方向の配光が前方へＶ字状となるように形成することができる。
更に、第１の配光特性部８３Ａは左右方向の配光形成であるが、Ｌ字状に屈曲する道路に適合するように、左右方向の配光の一方へ照射する光を遮断するように、本体２に遮光板を取り付けるようにすることができる。
更にまた、Ｌ字状に屈曲する道路に適合するように、その屈曲部の端に設置した支柱ＰＬにＬＥＤ照明器具１を取り付ける場合、第１の配光特性部８３Ａまたは第２の配光特性部８３Ｂが、Ｌ字状の配光となるようなレンズ形態とすればよい。
【０１１９】
実施例１において、図１２に示すように、分離配光ユニット８Ｐの第２の配光特性部８３Ｂが前側の８個のＬＥＤ素子７Ａにそれぞれ対応し、分離配光ユニット８Ｑの第１の配光特性部８３Ａが後側の８個のＬＥＤ素子７Ｂにそれぞれ対応する状態にＬＥＤ照明器具１を構成して支柱ＰＬに取り付ける。また、実施例２の技術の発展として、図１９に示すＬＥＤ基板５を本体２に前後配置し、各ＬＥＤ基板５にそれぞれ配光ユニット８を組み合わせ、前側配置のＬＥＤ基板５と配光ユニット８の組み合わせを図２１の状態とし、後側配置のＬＥＤ基板５と配光ユニット８の組み合わせを図２０の状態としたＬＥＤ照明器具１を構成して支柱ＰＬに取り付ける。
このようにすることにより、ＬＥＤ照明器具１は、前側によってスポット状配光が得られ、後側によって左右方向の配光が得られ、一つの機種のＬＥＤ照明器具１による異なる配光特性を形成できることとなる。
【０１２０】
また、上記とは前後の配光が逆になるようにすることができる。即ち、図１２において前後配置を逆状態とするように、前側の分離配光ユニット８Ｐの第１の配光特性部８３Ａが前側の８個のＬＥＤ素子７Ａにそれぞれ対応し、後側の分離配光ユニット８Ｑの第２の配光特性部８３Ｂが後側の８個のＬＥＤ素子７Ｂにそれぞれ対応する状態としたＬＥＤ照明器具１を構成して支柱ＰＬに取り付ける。また、実施例２の技術の発展として、図１９に示すＬＥＤ基板５を本体２に前後配置し、各ＬＥＤ基板５にそれぞれ配光ユニット８を組み合わせ、前側配置のＬＥＤ基板５と配光ユニット８の組み合わせを図２０の状態とし、後側配置のＬＥＤ基板５と配光ユニット８の組み合わせを図２１の状態としたＬＥＤ照明器具１を構成して支柱ＰＬに取り付ける。
このようにすることにより、ＬＥＤ照明器具１の前側によって左右方向の配光が得られ、ＬＥＤ照明器具１の後側によってスポット状配光が得られ、一つの機種のＬＥＤ照明器具１による異なる配光特性を形成できることとなる。
【０１２１】
このように、ＬＥＤ照明器具１の取り付け場所に応じて、いずれの配光状態とするかの選択が可能となり、一つの機種のＬＥＤ照明器具で以って複数の配光形態に変更できるため、それぞれの取り付け場所への適用範囲が広がり、取り付け場所ごとに異なる機種を製造する必要が少なくなる効果がある。
【０１２２】
上記の構成では、配光ユニット８は、所定の平板形状を維持する撓みにくい平板形状に形成したが、可撓性の板または可撓性の厚手のフィルム状板のように可撓性材を採用し、これに第１の配光特性部８３Ａと第２の配光特性部８３Ｂを形成する形態とすることができる。この場合、上記のように、Ｖ字状の放熱板または取り付け板の左右の傾斜下面にＬＥＤ基板５を取り付ける形態では、１枚の可撓性の配光ユニット８を左右のＬＥＤ基板５に重ね合わせる形態とすることにより、配光ユニット８を１枚で構成できるメリットがあり、新たな形態のＬＥＤ照明器具１を構成できる。
【０１２３】
また、ＬＥＤ基板５と配光ユニット８の双方を可撓性の板または可撓性の厚手のフィルム状板のように可撓性材を採用し、可撓性の配光ユニット８を可撓性のＬＥＤ基板５に重ね合わせる形態とすることができる。この場合、例えば、実施例１において、ＬＥＤ基板５を分離配光ユニット８Ｐ、８Ｑに対応するように前後に分割した可撓性の前部ＬＥＤ基板と可撓性の後部ＬＥＤ基板とし、この両ＬＥＤ基板は下方に向けて弧状または多角形状に湾曲しこの状態で前後方向に延びる形態とし、この両ＬＥＤ基板の下面に沿って、同様に湾曲した分離配光ユニット８Ｐ、８Ｑを取り付ける。分離配光ユニット８Ｐ、８Ｑは、第１の配光特性部８３Ａと第２の配光特性部８３Ｂを前後方向に等間隔で交互に直線状に配置し、前部ＬＥＤ基板と分離配光ユニット８Ｐ、及び後部ＬＥＤ基板と分離配光ユニット８Ｑの組み合わせを前記第１の状態で本体２に取り付け、前部ＬＥＤ基板と分離配光ユニット８Ｐ、及び後部ＬＥＤ基板と分離配光ユニット８Ｑの組み合わせを前記第２の状態となるように本体２に取り付け変える。また、実施例２において、下方に球面状に湾曲した可撓性のＬＥＤ基板５の下面に沿って同様に湾曲した可撓性の配光ユニット８を取り付ける形態とし、ＬＥＤ基板と配光ユニット８の組み合わせを前記第１の状態または前記第２の状態に変更する。このように、多種多様の発光部６の形態を形成することが容易となり、本体２への取り付けも融通性を持たせることができ、新たな形態のＬＥＤ照明器具１を構成できる。
【０１２４】
実施例１及び実施例２に示すように、ＬＥＤ照明器具１は工場での組み立て時点で、第１の配光特性部８３ＡがＬＥＤ素子７に対応する状態とするか、第２の配光特性部８３ＢがＬＥＤ素子７に対応する状態とするかを決めて、ＬＥＤ基板５と配光ユニット８の組み合わせ位置を決定した状態でネジ９を締め付けてＬＥＤ基板５と配光ユニット８を一体化し、これを本体２に固定すればよい。
【０１２５】
または、ＬＥＤ照明器具１は工場での組み立て時点で、ＬＥＤ基板５を本体２に固定し、その状態で第１の配光特性部８３ＡがＬＥＤ素子７に対応する状態とするか、第２の配光特性部８３ＢがＬＥＤ素子７に対応する状態とするかを決めて、ＬＥＤ基板５に配光ユニット８を組み合わせ、ＬＥＤ基板５に配光ユニット８をネジ９で固定する方式でもよい。
【０１２６】
更に、ＬＥＤ照明器具１は工場での組み立て時点で、ＬＥＤ基板５を本体２に固定し、その状態で、上記のようにＬＥＤ基板５に配光ユニット８が回動可能状態にネジ９で配光ユニット８を支持し、その状態で、第１の配光特性部８３ＡがＬＥＤ素子７に対応する状態とするか、第２の配光特性部８３ＢがＬＥＤ素子７に対応する状態とするかを決めて、ＬＥＤ基板５に配光ユニット８を組み合わせ、ＬＥＤ基板５に配光ユニット８をネジ９で固定する方式でもよい。
【０１２７】
更にまた、工場での組み立て時点では、第１の配光特性部８３ＡがＬＥＤ素子７に対応する状態とするか、第２の配光特性部８３ＢがＬＥＤ素子７に対応する状態とするか、いずれか一方に状態でＬＥＤ基板５に配光ユニット８を組み合わせネジ９で固定した状態で工場出荷し、ＬＥＤ照明器具１を設置する場所において、ネジ９を緩めて上記のようにＬＥＤ基板５に配光ユニット８が回動可能状態とし、第１の配光特性部８３ＡがＬＥＤ素子７に対応する状態とするか、第２の配光特性部８３ＢがＬＥＤ素子７に対応する状態とするかを決めて、ＬＥＤ基板５に配光ユニット８を組み合わせ、ＬＥＤ基板５に配光ユニット８をネジ９で固定する方式でもよい。
【０１２８】
実施例１及び実施例２には、ＬＥＤ基板５と配光ユニット８との結合は一つのネジ９によって行う構成としたが、ネジ９の他に適宜数の結合ネジを設け、ＬＥＤ素子７と配光特性部８３の組み合わせを変更する場合は、この結合ネジを緩めて回動中心となるネジ９のみでＬＥＤ基板５に配光ユニット８を支持させ、上記のように、ＬＥＤ基板５と配光ユニット８との組み合わせ位置を変更できるようにしてもよい。
【０１２９】
本発明のＬＥＤ照明器具１は、配光部８２は、異なる配光特性を有する複数の配光特性部８３で構成され、ＬＥＤ素子７と配光特性部８３の組み合わせが選択可能となるように、ＬＥＤ基板５と配光ユニット８の相対位置が可変構成である。
上記の実施例１及び実施例２に示す構成は、ＬＥＤ基板５を本体２に固定する構成とし、ＬＥＤ素子７と配光特性部８３の組み合わせが選択可能となるように、ＬＥＤ基板５に配光ユニット８を取り付けている。
これに替わって、ＬＥＤ基板５と配光ユニット８は、ＬＥＤ素子７と配光特性部８３の相対位置が可変可能にネジ９及びまたは前記結合ネジによって結合するが、ＬＥＤ基板５と配光ユニット８の双方を本体２の取り付けボス１３にネジ１２で取り付ける構成でもよい。
【０１３０】
実施例１及び実施例２の構成は、本体２に固定した状態のＬＥＤ基板５に対して、またはＬＥＤ基板５を本体２に固定する前の段階で、配光ユニット８の組み合わせ位置を変えることができる可変構成である。これは、制御部１４からＬＥＤ素子７への電気配線が必要なＬＥＤ基板５を本体２に固定することにより、電気供給の安定性が確保され、配線が余分に長くする必要がなく、配光状態の変更のし易さ等で効果がある。
【０１３１】
これに対して、本体２に配光ユニット８を固定し、これに対してＬＥＤ基板５の位置を変えることにより、上記のように第１の状態と第２の状態に変更可能とすることも可能である。この場合は、ＬＥＤ基板５の位置を変える手段として、配光ユニット８に対してＬＥＤ基板５を９０度の範囲で正方向と逆方向に回動とした場合、制御部１４からＬＥＤ素子７への電気配線がその回動を許容するだけに余分な長さを持たせることにより達成できる。この後者の方式では、配光ユニット８の上面でＬＥＤ基板５の位置を変えることになるが、工場にて組み立てる際にそれを行えば、上記のように第１の状態と第２の状態に変更可能とすることも可能である。
【０１３２】
実施例１及び実施例２の構成において、ＬＥＤ基板５に下側に配光ユニット８が取り付けられた状態で、配光ユニット８の第１の配光特性部８３Ａと第２の配光特性部８３Ｂは、本体２の開口部２Ａ周縁部と同等位置または僅かに下方位置にあり、第１の配光特性部８３Ａ及び第２の配光特性部８３Ｂから出射されるＬＥＤ素子７の発光は、本体２の開口部２Ａ周縁部によって遮られることなく、所定の左右方向の配光を得ることができる。
【０１３３】
ＬＥＤ照明器具１は、所望の配光特性が得られる形態であればよいため、上記実施例に限定されない。例えば、図５において、分離配光ユニット８Ｐまたは分離配光ユニット８Ｑを実施例２の配光ユニット８とする場合や、ＬＥＤ素子７の配置と第１の配光特性部８３Ａ及び第２の配光特性部８３Ｂの対応配置を別の角度配置として、配光ユニット８の回動角度を４５℃や９０度とは別の角度に回動させることにより、配光状態を変更できる構成でもよい。
【０１３４】
上記図示の実施例１では、配光ユニット８を分離配光ユニット８Ｐ、８Ｑで構成したが、これに替わって、例えば配光ユニット８を分離配光ユニット８Ｐのみの１枚とする場合は、その分離配光ユニット８Ｐは、一列配置の３個の取り付けボス１３Ｂの中間のもの１３Ｂ１にネジ９で取り付けることにより、上記同様の構成及び作用が達成できる。
【０１３５】
また、配光ユニット８を１枚とする場合、前後方向に長いＬＥＤ基板５の左右間の中央を前後方向に延びる軸線上に、複数のＬＥＤ素子７が所定間隔を存して前後方向に直線的に一列のみに配置されたものとし、この各ＬＥＤ素子７に対応する配光部８２または配光特性部８３Ａを板状部８１に形成した配光ユニット８をＬＥＤ基板５の下側面に配置し、発光部６の中央における鉛直方向に対する所定角度（鉛直角でθ１＝８５°等）以上の出射光が、開口部２Ａの周縁下端で遮られる位置に、発光部６が本体２に取り付けられる構成とすることもできる。
【０１３６】
本発明によって、ＬＥＤ照明器具１を設置した付近の居住者などからまぶしさ低減の要望などが生じた場合でも、別途遮光板などの部品を追加購入することなく、ＬＥＤ照明器具１の真下に円形状のスポット配光状態とすることで、容易にかつ経済的にまぶしさ対策ができるＬＥＤ照明器具１とすることができる。
【０１３７】
本発明は、発明の範囲内における種々の変更が可能であり、ＬＥＤ照明器具１の形態、ＬＥＤ基板の形態、及び配光ユニット８の形態も、上記に限定されることなく、ＬＥＤ照明器具１の設置場所に応じた配光が得られるように、種々の形態のＬＥＤ照明器具１に適用可能である。
【０１３８】
実施形態では透光性カバー３を備えるが、本発明は、透光性カバー３を設けずに、配光ユニット８が
透光性カバー３の役目を兼用するように、配光部８２を一体形成する板状部８１の平面積を広くして、
配光ユニット８が本体２の開口部２Ａの周縁を巡るフランジ２Ｆの内側において、開口部２Ａの全体を覆う大きさに形成する形態でも、同様の作用効果を奏することができる。
【符号の説明】
【０１３９】
１          ＬＥＤ照明器具
２          本体
３          透光性カバー
４          内部空間
５          ＬＥＤ基板
６          発光部
７          ＬＥＤ素子
８          配光ユニット
９          ネジ
１０        取り付け部
８１        板状部
８２        配光部
８３        配光特性部
８３Ａ      第１の配光特性部
８３Ｂ      第２の配光特性部
８Ｐ、８Ｑ  分離配光ユニット
９０        軸
９１        突出ボス
９１Ｂ      位置決めボス
９２        挿入部
９２Ｂ      位置決め挿入部
９５        コネクタ
ＯＰ        回動中心部
ＰＬ        支柱
【図１】
0006744619.tif 000002
【図２】
0006744619.tif 000003
【図３】
0006744619.tif 000004
【図４】
0006744619.tif 000005
【図５】
0006744619.tif 000006
【図６】
0006744619.tif 000007
【図７】
0006744619.tif 000008
【図８】
0006744619.tif 000009
【図９】
0006744619.tif 000010
【図１０】
0006744619.tif 000011
【図１１】
0006744619.tif 000012
【図１２】
0006744619.tif 000013
【図１３】
0006744619.tif 000014
【図１４】
0006744619.tif 000015
【図１５】
0006744619.tif 000016
【図１６】
0006744619.tif 000017
【図１７】
0006744619.tif 000018
【図１８】
0006744619.tif 000019
【図１９】
0006744619.tif 000020
【図２０】
0006744619.tif 000021
【図２１】
0006744619.tif 000022
【図２２】
0006744619.tif 000023
【図２３】
0006744619.tif 000024
【図２４】
0006744619.tif 000025
【図２５】
0006744619.tif 000026
【図２６】
0006744619.tif 000027
【図２７】
0006744619.tif 000028